(57)【要約】      （修正有）【課題】鼠にダメージを与えて捕獲でき、捕獲した鼠の廃棄処理を比較的円滑に行える鼠捕り機を提供する。【解決手段】鼠を誘き寄せる餌置き場１２が設けられた囲み機体１４と、囲み機体１４の餌置き場１２上方に離隔して設置され、餌置き場に向けて重力落下して鼠を加圧する加圧重量部１６と、加圧重量部１６を餌置き場１２上方の離隔位置で保持する保持機構１８と、鼠の餌置き場への侵入を感知した際に、加圧重量部１６を保持機構１８による位置保持状態から解放して重力落下させる作動機構２０と、を備えたことを特徴とする鼠捕り機１０から構成される。【選択図】図１
0003149959.tif 000002
【実用新案登録請求の範囲】
【請求項１】
鼠を誘き寄せる餌置き場が設けられた囲み機体と、
囲み機体の餌置き場上方に離隔して設置され、餌置き場に向けて重力落下して鼠を加圧する加圧重量部と、
加圧重量部を餌置き場上方の離隔位置で保持する保持機構と、
鼠の餌置き場への侵入を感知した際に、加圧重量部を保持機構による位置保持状態から解放して重力落下させる作動機構と、を備えたことを特徴とする鼠捕り機。
【請求項２】
加圧重量部は、囲み機体内部の横断面積と略同じ平面大きさのベース板と、ベース板に着脱可能なウエイト本体と、を含む請求項１記載の鼠捕り機。
【請求項３】
作動機構は、囲み機体の餌置き場を構成しつつ、平常時は所定の高位置に保持され、鼠の体重がかかった際に所定の低位置に変位する上下動式の床板部材と、
床板部材から横方向に向けて突出し囲み機体を貫通して外部側に延長されるように該床板部材に接続され、床板部材の上下動に伴って上下動する作動ピンと、
保持機構による加圧重量部の位置保持状態と落下作動状態とを変換するように、作動ピンの外部側延長部分と保持機構とを連係するリンク機構と、を含む請求項２記載の鼠捕り機。
【請求項４】
保持機構は、一端側を加圧重量部に接続し、他端側を囲み機体の外部側に延長された索条を有しており、
リンク機構は、上端部を索条の他端側に接続したリンク杆であり、床板部材が高位置に保持される状態では下端部を作動ピンに係合させながら索条を介して加圧重量部を上方位置に保持するとともに、該床板部材が低位置に変位した際には該下端部と作動ピンとの係合を解除して該加圧重量部を落下作動させるリンク杆を含む請求項３記載の鼠捕り機。
【請求項５】
ウエイト本体は、中空内部に水を密封充填して重量化され、ベース板上に安定的に載置される１又は複数のペットボトルを含む請求項２ないし４のいずれかに記載の鼠捕り機。
【請求項６】
囲み機体は、ベース板との間にウエイト本体の着脱操作を行うのに十分な大きさの間隙を確保するように該ベース板の上方側に架設された把手を有する請求項２ないし５のいずれかに記載の鼠捕り機。
【考案の詳細な説明】
【技術分野】
【０００１】
本考案は、鼠捕り機に関する。
【背景技術】
【０００２】
家庭や飲食店、オフィスビル、工場等において、鼠による食品類の被害、電源や通信ケーブル類の断線、構造体や家具類、各種装置や機器類の損傷或いは故障、糞尿による汚染、又は鼠が病原体等の媒介となることによる病気の発症等の様々な鼠の被害が発生するおそれがある。従来、このような鼠被害の対策として、鼠を捕獲する装置が提案されており、例えば、鼠がケース内に入った際に扉を閉鎖して閉じ込める閉じ込めタイプや、台紙に粘着シートを配置して鼠を接着させて捕獲する粘着タイプなどがある（例えば、特許文献１参照）。例えば、特許文献１の鼠捕獲器では、鼠が収容される遮蔽空間を有すると共に、上面が開放された鼠の落下口を有する鼠捕獲箱と、該鼠捕獲箱に立設された一対の遮蔽板と、通常は上方に向かって傾斜した状態で前記遮蔽板の間に配置されると共に、鼠が登坂することにより下方に傾動するシーソー板と、該シーソー板の上方に設けられた餌載置部と、前記鼠捕獲箱の底部に着脱自在に配置された接着シートとから構成されたものが開示されている。
【先行技術文献】
【特許文献】
【０００３】
【特許文献１】特開２００１−３３３６８２号公報
【考案の概要】
【考案が解決しようとする課題】
【０００４】
しかしながら、従来の鼠をケース内に閉じ込めたり、粘着シートに接着して捕獲するような鼠捕り機では、いわゆる生け捕り構造であり、捕獲された鼠はまだ生きている場合が多い結果、捕獲後の鼠の廃棄処分する際には、例えば殺す必要があり極めて扱いづらい。特に、主婦や子供等では廃棄処分を敬遠しがちであり、全体的に使い勝手が悪い問題があった。
【０００５】
本考案は、上記従来の課題に鑑みてなされたものであり、その一つの目的は、鼠にダメージを与えて捕獲し、捕獲した鼠の廃棄処理を比較的円滑に行える鼠捕り機を提供することにある。
【課題を解決するための手段】
【０００６】
上記課題を解決するために本考案は、鼠Ｍを誘き寄せる餌置き場１２が設けられた囲み機体１４と、囲み機体１４の餌置き場１２上方に離隔して設置され、餌置き場に向けて重力落下して鼠Ｍを加圧する加圧重量部１６と、加圧重量部１６を餌置き場１２上方の離隔位置で保持する保持機構１８と、鼠Ｍの餌置き場への侵入を感知した際に、加圧重量部１６を保持機構１８による位置保持状態から解放して重力落下させる作動機構２０と、を備えたことを特徴とする鼠捕り機１０から構成される。
【０００７】
また、加圧重量部１６は、囲み機体１４内部の横断面積と略同じ平面大きさのベース板３４と、ベース板３４に着脱可能なウエイト本体３６と、を含むこととしてもよい。
【０００８】
また、作動機構２０は、囲み機体１４の餌置き場１２を構成しつつ、平常時は所定の高位置Ｈｐに保持され、鼠Ｍの体重がかかった際に所定の低位置Ｌｐに変位する上下動式の床板部材２８と、床板部材２８から横方向に向けて突出し囲み機体１４を貫通して外部側に延長されるように該床板部材２８に接続され、床板部材２８の上下動に伴って上下動する作動ピン４６と、保持機構１８による加圧重量部１６の位置保持状態と落下作動状態とを変換するように、作動ピン４６の外部側延長部分と保持機構１８とを連係するリンク機構４８と、を含むこととしてもよい。
【０００９】
また、保持機構１８は、一端側を加圧重量部１６に接続し、他端側を囲み機体１４の外部側に延長された索条４０を有しており、リンク機構４８は、上端部を索条４０の他端側に接続したリンク杆であり、床板部材２８が高位置Ｈｐに保持される状態では下端部を作動ピン４６に係合させながら索条４０を介して加圧重量部１６を上方位置に保持するとともに、該床板部材２８が低位置Ｌｐに変位した際には該下端部と作動ピン４６との係合を解除して該加圧重量部１６を落下作動させるリンク杆５２を含むこととしてもよい。囲み機体１４に索条をガイドする任意のガイド部を取り付けても良い。
【００１０】
また、ウエイト本体３６は、中空内部に水を密封充填して重量化され、ベース板３４上に安定的に載置される１又は複数のペットボトルを含むこととしてもよい。ペットボトルの形状は、例えば、ベース板に載置した際に安定するような形状であれば任意でよい。また、ペットボトルの大きさ、重量は任意でよく、例えば、比較的大きい容量のものを１つないし数個用意してもよいし、比較的小さい容量のものを多数用意してもよく、必要に応じてサイズや数を変更してもよい。
【００１１】
また、囲み機体１４は、ベース板３４との間にウエイト本体３６の着脱操作を行うのに十分な大きさの間隙３８を確保するように該ベース板３４の上方側に架設された把手３２を有することとしてもよい。
【考案の効果】
【００１２】
本考案の鼠捕り機によれば、鼠を誘き寄せる餌置き場が設けられた囲み機体と、囲み機体の餌置き場上方に離隔して設置され、餌置き場に向けて重力落下して鼠を加圧する加圧重量部と、加圧重量部を餌置き場上方の離隔位置で保持する保持機構と、鼠の餌置き場への侵入を感知した際に、加圧重量部を保持機構による位置保持状態から解放して重力落下させる作動機構と、を備えたことから、餌置き場に鼠を誘き寄せて、作動機構を介して作動させて加圧重量部を鼠に重力落下させて、該加圧重量部により鼠を加圧してダメージを与えるとともに、その後も加圧し続けることで、例えば鼠を死亡させたりできる。その結果、捕獲後の鼠をそのままゴミとして捨てたりできるので、廃棄処分を比較的円滑に行え、使い勝手がよい。
【００１３】
また、加圧重量部は、囲み機体内部の横断面積と略同じ平面大きさのベース板と、ベース板に着脱可能なウエイト本体と、を含む構成とすることにより、必要に応じてウエイト本体をベース体に着脱操作して、重量のあるウエイト本体を別に取り扱うことができるので、鼠捕り機の持ち運びや設置、捕獲した鼠の廃棄処分又はメンテナンス等を手軽に行える。
【００１４】
また、作動機構は、囲み機体の餌置き場を構成しつつ、平常時は所定の高位置に保持され、鼠の体重がかかった際に所定の低位置に変位する上下動式の床板部材と、床板部材から横方向に向けて突出し囲み機体を貫通して外部側に延長されるように該床板部材に接続され、床板部材の上下動に伴って上下動する作動ピンと、保持機構による加圧重量部の位置保持状態と落下作動状態とを変換するように、作動ピンの外部側延長部分と保持機構とを連係するリンク機構と、を含む構成とすることにより、比較的簡単な構造で作動機構を具体的に構成できるとともに、囲み機体の外部側で作動ピンと保持機構とを連係させるので、連係作業等を含む準備を行なう際にスムーズに作業を行えるとともに、リンク機構等の連係状態を外部側から確認しやすく、落下作動したかどうかを簡単に確認することができる。
【００１５】
また、保持機構は、一端側を加圧重量部に接続し、他端側を囲み機体の外部側に延長された索条を有しており、リンク機構は、上端部を索条の他端側に接続したリンク杆であり、床板部材が高位置に保持される状態では下端部を作動ピンに係合させながら索条を介して加圧重量部を上方位置に保持するとともに、該床板部材が低位置に変位した際には該下端部と作動ピンとの係合を解除して該加圧重量部を落下作動させるリンク杆を含む構成であるから、例えば、歯車やモータ、シリンダ、電気的なセンサ等の複雑な構造や駆動源、電源等が不要であり、重力等を利用した簡単な機械構造で実現できる。また、製造コストも安くつく。さらに、加圧重量部の上方離隔位置での保持操作や各構成部品のメンテナンス等も簡単に行なえる。
【００１６】
また、ウエイト本体は、中空内部に水を密封充填して重量化され、ベース板上に安定的に載置される１又は複数のペットボトルを含む構成とすることにより、ペットボトルを利用して安価にウエイト本体を実現できるとともに、必要に応じてベース板上に載置するペットボトルの数やサイズを変更しながら、加圧重量部全体の重量を簡単に調整することができる。
【００１７】
また、囲み機体は、ベース板との間にウエイト本体の着脱操作を行うのに十分な大きさの間隙を確保するように該ベース板の上方側に架設された把手を有する構成とすることにより、把手を手で持って鼠捕り機全体の持ち運び、所定位置への設置又は撤去、捕獲した鼠の廃棄処分等を楽に行える。同時に、把手を取り付けた構造であっても、十分な間隙を確保しているので、例えば、ウエイト本体のベース体に対する着脱操作、さらにはベース板の囲み機体に対する着脱操作を円滑に行なうことができ、鼠捕り機のセッティングや加圧重量部の重量調整等を行える。
【図面の簡単な説明】
【００１８】
【図１】本考案の実施形態に係る鼠捕り機の斜視図である。
【図２】図１の鼠捕り機の正面図である。
【図３】図１の鼠捕り機の背面図である。
【図４】図１の鼠捕り機のＡ−Ａ線断面図である。
【図５】図４の鼠捕り機の作動時の説明図である。
【図６】（ａ）リンク機構の要部拡大説明図、（ｂ）その作用説明図である。
【図７】作動ピンの概略説明図である。
【図８】床板部材及び作動ピンの他の実施形態の要部説明図である。
【考案を実施するための形態】
【００１９】
以下、添付図面を参照しつつ本考案の鼠捕り機の実施の形態について説明する。本考案の鼠捕り機は、鼠を捕獲する際に鼠を加圧してダメージを与えることにより、該鼠を死亡又は瀕死させ得る装置である。図１ないし図７は、本考案に係る鼠捕り機の一実施形態を示している。図１、図２に示すように、本実施形態において、鼠捕り機１０は、餌置き場１２が設けられた囲み機体１４と、加圧重量部１６と、加圧重量部１６の保持機構１８と、加圧重量部１６を重力落下させる作動機構２０と、を備えている。
【００２０】
図１、図２、図４に示すように、囲み機体１４は、例えば、米粒等の餌を置いて鼠を誘き寄せる餌置き場１２が設けられており、該餌置き場１２の周囲を囲むように構成されている。本実施形態では、囲み機体１４は、例えば、平面視矩形状の底壁２２と、底壁２２の４辺に対応してそれぞれ立設される４つの側壁２４ａ〜２４ｄと、を備え、内部に鼠捕獲用の囲まれた内部空間Ｓを形成しつつ、上方側を開口２６した中空矩形箱状のケース体からなる。囲み機体は、例えば、木製の板を組み付けて設けられている。囲み機体１４の内部空間Ｓには、下方側に底壁２２側に近接して床板部材２８が収容されており、該床板部材２８の上面に餌置き場１２を構成している。床板部材２８は、例えば、所定の厚みで平面視では囲み機体１４の内部空間Ｓの横断面積と略同じ大きさとなる矩形板状体からなる。床板部材２８は、後述のように所定の範囲で上下動可能に設けられており、作動機構２０の一部を構成している。図３に示すように、例えば、背面側となる側壁２６ｂには、床板部材２８が配置されている高さ位置と略同じか若干高い位置に最下縁が設定された円形の孔が横方向に貫通されており、外部側から囲み機体１４内部への鼠の入口３０が設けられている。よって、鼠は入口３０から囲み機体１４内部に入ることができ、床板部材２８の餌置き場１２上に乗ることとなるとともに、側壁２４ａ〜２４ｄにより周囲を囲まれて入口３０以外からは逃げられないような構造となっている。さらに囲み機体１４は、例えば、開口２６上に左右方向に向けて架設された把手３２を有している。把手３２は、左右側面側の側壁２４ｃ、２４ｄに沿って各側壁２４ａ〜２４ｄ上端よりも高く縦に立設されたアーム部３３の上端に渡設されて固定されている。把手３２と側壁２４ａ〜２４ｄの上端縁との間には、後述の加圧重量部１６の構成要素であるベース板３４及びウエイト本体３６等の出し入れ操作や着脱操作等を行なうのに十分な大きさの間隙を確保している。
【００２１】
加圧重量部１６は、囲み機体１４の餌置き場１２上方に離隔して設置され、餌置き場１２に向けて重力落下して鼠を加圧する重力落下型の加圧手段である。図１、図４に示すように、本実施形態では、加圧重量部１６は、囲み機体１４の側壁２４ａ〜２４ｄで囲まれた内部空間Ｓに少なくとも一部が収容された状態で、床板部材２８の上方側を該床板部材２８に対して近接離隔するように上下移動する。本実施形態では、加圧重量部１６は、例えば、ベース板３４と、ベース板３４に着脱可能なウエイト本体３６と、を含む。
【００２２】
ベース板３４は、例えば、所定の厚さで平面視矩形状で略水平に配置される平板部材からなり、囲み機体内部の横断面積と略同じ平面大きさで形成されている。すなわち、ベース板３４は、その外形輪郭形状が囲み機体の側壁２４ａ〜２４ｄの内面輪郭の横断面形状と略同じ形状で形成されており、落とし蓋状に内部空間Ｓの上方を閉鎖する天井を形成するとともに、略水平状態で該４周縁が側壁２４ａ〜２４ｄの内面に案内されながら上下方向にスライド自在となっている。ベース板３４は、保持機構１８に連係されており、餌置き場１２を構成している床板部材２８から上方に離隔した位置で保持され得る。ベース板３４の下面側は、餌置き場１２上の鼠に直接当接する加圧面３４ａを形成しているとともに、上面側はウエイト本体３６を着脱自在に載置させる載置面３４ｂを形成している。ベース板３４の４辺には、載置面３４ｂから低く立ち上がる周縁壁部３４ｃが立設されている。
【００２３】
ウエイト本体３６は、例えば、中空内部に水を密封充填して重量化された１又は複数のペットボトルからなる。ウエイト本体３６は、例えば、略平坦に形成して、ベース板３４上に着脱自在に安定的に載置されるような底部構造となっており、立てて載置される。なお、図上では、１個のペットボトルを載置した場合のみ記載しているが、２以上の複数のペットボトルを同時にベース板３４に載置するようにしても良い。また、ウエイト本体３６は、例えばベース板上に横倒し状態で安定的に載置されるような角型のペットボトルでもよい。ベース体３４に対してウエイト本体３６を着脱可能に設けたことにより、例えば、重量のあるウエイト本体３６をベース板３４上に載置又はベース板上から撤去しながらその数を調整することにより、加圧重量部全体の重量調整を簡単に行うことができる。また、捕獲した鼠を廃棄処分する際には、重量のあるウエイト本体３６を除きその重量分軽量化した状態で持ち運びでき、円滑に作業を行える。上記のように把手３２は囲み機体１４の側壁上端縁との間に十分な間隙を形成していることから、該把手３２とベース板３４との間にも十分大きな間隙３８が確保されており、該間隙３８を介してウエイト本体３６の着脱操作を円滑に行える。なお、ウエイト本体３６とベース板３４とは、例えば、ベース板上に位置決めする凹部等を設けてもよく、互いに着脱自在に嵌合させる構造としてもよい。また、ウエイト本体とベース板とを、例えば、両面テープ、面ファスナ、その他種々のロック機構等を介して互いを固定するようにしてもよい。
【００２４】
保持機構１８は、加圧重量部１６を餌置き場１２上方の離隔位置で保持する位置保持手段である。本実施形態では、図１、図４に示すように、保持機構１８は、ベース体３４に接続され、ベース体３４を吊支して餌置き場上方の離隔位置すなわち餌置き場から高い位置で保持する索条４０を含む。索条４０は、例えば、２本の紐やワイヤー等からなり、ベース板３４を略水平状態で安定させるように該ベース板３４の対称的な位置に固定されたアイボルト等の係留具３５を介してそれぞれの一端側を接続している。そして、２本の索条４０は、囲み機体１４の上方側に架設された把手３２の中間位置に縦に貫通した通し孔４２にまとめて通係されつつ、まとめた状態で該把手３２の上面側及び隅部近傍にガイドされながら外部に引き出されている。さらに索条４０は、囲み機体１４の正面側の側壁２４ａに付設されたガイド部４４に案内されながら、他端側を下方側に向けて延長されており、該他端側を作動機構２０に連係した状態で、ベース板３４を床板部材上方の離隔位置に保持している。なお、ガイド部４４は、例えば、正面側の側壁２４ａより横方向に突設された横木部材からなり、索条４０が当たってガイド隅部部分を面取りしている。また、把手３２、側壁２４ａの索条４０が当たってガイドする隅部部分は面取りされている。索条は、２本に限らず、例えば、４本用いてベース板の４つの隅部近傍に接続してもよい。またその他、索条は１本又は３本以上の複数本用いてもよい。
【００２５】
作動機構２０は、鼠の餌置き場１２への侵入を感知した際に、加圧重量部１６を保持機構１８による位置保持状態から解放して重力落下させる作動手段である。図１、図４、図５に示すように、本実施形態では、作動機構２０は、囲み機体の餌置き場１２を構成している床板部材２８と、床板部材２８に接続された作動ピン４６と、作動ピン４６と索条４０とを連係したリンク機構４８と、を含む。
【００２６】
床板部材２８は、平常時は所定の高位置Ｈｐに保持され、餌置き場１２に鼠の体重がかかった際に所定の低位置Ｌｐに変位するように上下動する。すなわち、作動機構は、床板部材２８に載った鼠の体重により、該床板部材が可動して侵入を感知するようになっている。具体的には、床板部材２８は、平常時では、例えば、入口３０が設けられた背面側の側壁２４ｂ側となる一辺部２８ａを底壁２２に当着させる一方で、該一辺部２８ａと対向する正面側の側壁２４ｂ側の他辺部２８ｂを底壁２２から若干上昇させた状態で配置される。すなわち本実施形態では、床板部材２８は、餌置き場１２を入口３０側から上り傾斜させた傾斜状態を所定の高位置Ｈｐに配置させた状態としている。床板部材２８は、他辺部２８ｂ側に接続された作動ピン４６とリンク機構４８と索条４０との協働により高位置Ｈｐに保持されている。そして、鼠が床板部材２８上のある程度奥まで侵入すると、該鼠の体重により床板部材２８は高位置Ｈｐとなる傾斜状態から重力によって他辺部２８ｂ側が降下して底壁に当着して所定の低位置Ｌｐに変位される。したがって、床板部材２８は、その一辺部２８ａ側を底壁２２に当着させつつ、対向する他辺部２８ｂ側を自由端として所定の角度で上下に回動することにより、所定の高位置Ｈｐと低位置Ｌｐ間を上下動するように構成されている。なお、床板部材２８は、例えば、床板部材２８と囲み機体の底壁との間にバネ等の弾性部材を配置した構造としてもよい。また、床板部材全体が略水平状態で上下動するような構造でもよい。
【００２７】
図１、図４、図５に示すように、作動ピン４６は、上下動する床板部材２８の他辺部２８ｂ側から横方向に向けて突出して接続され、該床板部材２８の上下動に伴って一体的に上下動する。作動ピン４６は、例えば、断面円形のある程度の長さの直杆部材からなり、一端側を床板部材２８に固定し、延長他端側が囲み機体の正面側の側壁２４ａを貫通して外部側に延長されている。例えば、図７に示すように、作動ピン４６の外部側への延長端部には、横向きに切欠いた凹部４６ａが設けられており、該凹部部分で後述のリンク杆５２と係脱自在に係合する。なお、凹部４６ａは必ずしも設けなくても良い。作動ピン４６の上下移動範囲に対応して、正面側の側壁２４ａには、該側壁２４ａの下方側の一部を長さを細長に切り欠くことにより、作動ピン４６を外部に貫通させながら上下動を案内する該作動ピン４６の案内孔５０が設けられている。
【００２８】
リンク機構４８は、保持機構１８による加圧重量部１６の位置保持状態と落下作動状態とを変換するように、作動ピン４６の外部側延長部分と保持機構１８の索条４０とを連係している。図１、図４、図６に示すように、リンク機構４８は、上端部側を索条４０の他端側に接続し、下端側を作動ピン４６に係着、離脱可能に係合させるリンク杆５２を含む。リンク杆５２は、例えば、下端部に作動ピン４６に係合する横向きに浅く凹設された凹部が形成された直杆部材からなり、上端から若干中間側に寄った位置に該リンク杆の長手方向から枝分かれ状に索条４０の他端部を接続している。リンク杆５２は、図４に示すように、床板部材２６が所定の高位置Ｈｐに保持される傾斜状態では、下端部を作動ピン４６に係合させながら索条４０を介して加圧重量部を上方位置に保持する。図５に示すように、リンク杆５２は、床板部材２６が所定の低位置Ｌｐに変位した際には、該下端部と作動ピン４６との係合を解除して該加圧重量部１６を落下作動させるようになっている。
【００２９】
詳細には、図６（ａ）にも示すように、リンク杆５２の索条４０との分岐状の接続部分Ｒを、正面側の側壁２４ａの上下中間位置（ガイド部４４と案内孔４０との中間位置）に外側に向けて横向きに突設された変換軸５４に下側から引っ掛けるように係合させている。リンク杆５２は、例えば、作動ピン４６が上方位置にある場合には下端部を作動ピンに係合し、作動ピン４６が下方位置にある場合には係合できないような長さに設定されている。この索条４０に接続されたリンク杆５２と変換軸５４との係合により、加圧重量部１６の重力により索条の他端側に作用する上向きに作用する力Ｆ１が変換軸５４を介してリンク杆５２を回転する方向に作用する力Ｆ２に変換される。リンク杆５２の下端部が案内孔５０の上方位置に配置されている作動ピン４６に横から係着することで該リンク杆５２の回転を抑止されることにより、リンク杆に接続された索条４０は加圧重量部１６の重力に抗して該加圧重量部１６を上方離隔位置で保持する。同時に、リンク杆５２の回転方向に作用する力Ｆ２は作動ピン４６に略横向きに作用するとともに該作動ピン４６は側壁の案内孔５０の縁部分で横方向への移動が規制されているので、リンク杆５２は作動ピン４６が下方に落下するのを抑止するように作用する結果、該作動ピン４６に接続している床板部材２８の所定の高位置Ｈｐすなわち傾斜状態を保持している。よって、リンク機構４８は、索条４０を介してリンク杆５２に作用する変換軸５４回りのモーメントと作動ピン４６を含む床板部材２８にかかる重力（一辺部２８ａ側回りのモーメント）とのバランスにより、加圧重量部１６の上方離隔位置での保持と、床板部材２８の高位置Ｈｐでの保持と、を同時に行う構成となっている。そして、鼠Ｍが床板部材２８上に侵入した際には、該鼠の体重により床板部材２８が低位置Ｌｐに下がるのに伴って、リンク杆５２による保持力に抗して作動ピン４６が下がり、図６（ｂ）に示すように、該リンク杆５２と作動ピン４６との係合が解除される結果、リンク杆５２は変換軸５４回りに回転した後、最終的には変換軸５４から離脱されて、図５に示すように加圧重量部１６を保持状態から解放して床板部材２８上の鼠に重力落下させる。
【００３０】
次に、本考案に係る鼠捕り機１０の作用について説明する。例えば、台所等の鼠が出没する場所に囲み機体１４を設置する。索条４０を引っ張って、ベース板を上方に吊り上げ、間隙３８を介してベース板を外に取り出して、床板部材上に構成される餌置き場１２上に米粒Ｆ等の鼠の餌を置く。ベース板３４を囲み機体内に戻し、該ベース板３４上に水を入れたペットボトルからなるウエイト本体３６を載置する。同時に、索条４０の他端側に接続されたリンク杆５２を変換軸５４に引っ掛けつつ、縦に配置させるとともに、作動ピン４６の延長端部側を手で持ち上げて、床板部材２８を高位置Ｈｐにセットする。その際、リンク杆と、作動ピンとを係合させることにより、索条４０を介してリンク杆５２に作用する変換軸５４回りのモーメントと作動ピン４６を含む床板部材２８にかかる重力（一辺部２８ａ側回りのモーメント）とのバランスにより、加圧重量部１６の上方離隔位置での保持と、床板部材２８の高位置Ｈｐでの保持と、を行うことにより、仕掛けをセッティングする。そして、図４に示すように、鼠が囲み機体１４の入口３０から内部空間に侵入し、餌置き場１２を奥へ進むと、該鼠の体重により床板部材２８が低位置Ｌｐに変位可動する。図５に示すように、床板部材２６とともに作動ピン４６が下方に移動する結果、リンク杆５２の下端部と作動ピン４６との係合が解除されて加圧重量部１６の位置保持状態を解放し落下作動させる。これにより、鼠Ｍは囲み機体により囲まれているので外に逃げられず、加圧重量部１６の重量落下による加圧衝撃によりダメージを受けて、例えば、即死又は瀕死状態となる。その後も鼠は加圧重量部に加圧され続けられ、比較的早期に衰弱或いは死亡する。捕獲した鼠を廃棄処分する際には、間隙３８を介してウエイト本体３６を取り出して軽くした状態で持ち運び、鼠をゴミ箱や土中等に処分する。この際、鼠は例えばダメージを受けて死亡しているので、比較的手軽に廃棄処分することができる。
【００３１】
図８は、床板部材２８及び作動ピン４６の他の実施形態を示している。なお、上記実施形態と同一部材には同一符号を付し、詳細な説明を省略する。また、図８では、床板部材２８１及び作動ピン４６１の周辺の変更部分を中心に示しており、例えば、囲み機体の一部、加圧重量部、保持機構、リンク機構等及びその他の部分は省略している。図８に示した実施形態では、床板部材２８１には、餌置き場１２を形成している上面から若干上方に立ち上がった周縁壁部５６が設けられている。さらに、作動ピン４６１は、例えば、略四角柱状に形成されており、その長手方向に沿って上方側を開放しながら凹設されつつ、餌置き場１２に連通する供給溝５８が設けられている。このような構成により、作動ピン４６１の囲み機体１４の外部側で、供給溝５８内に米粒Ｆ等の餌を入れると、傾斜に沿って供給溝５８から床板部材上面の餌置き場１２上に供給される。したがって、作動ピンの供給溝５６を介して簡単に囲み機体１４の外部から餌Ｆを餌置き場１２上に置くことができ、多様な方法で餌の設置を行えて便利である。
【００３２】
以上説明した本考案の鼠捕り機は、上記した実施形態のみの構成に限定されるものではなく、実用新案登録請求の範囲に記載した本考案の本質を逸脱しない範囲において、任意の改変を行ってもよい。
【産業上の利用可能性】
【００３３】
本考案の鼠捕り機は、例えば、家庭、オフィスビル、飲食店、工場等何処にでも手軽に設置して鼠を捕獲、駆除できる。
【符号の説明】
【００３４】
１０    鼠捕り機
１２    餌置き場
１４    囲み機体
１６    加圧重量部
１８    保持機構
２０    作動機構
２８    床板部材
３２    把手
３４    ベース板
３６    ウエイト本体
３８    間隙
４０    索条
４６    作動ピン
４８    リンク機構
５２    リンク杆
【図１】
0003149959.tif 000003
【図２】
0003149959.tif 000004
【図３】
0003149959.tif 000005
【図４】
0003149959.tif 000006
【図５】
0003149959.tif 000007
【図６】
0003149959.tif 000008
【図７】
0003149959.tif 000009
【図８】
0003149959.tif 000010